(57)【要約】【課題】  センサの故障、経時によるセンサの感度低下、センサの温度依存性などによって起こる出力値の異常を被験者の異常と誤認することのない生体情報監視システムを提供する。【解決手段】  センサの故障診断手段５１３を用いて、生体情報計測端末５１の故障診断を行う。また、出力補正手段５１４を用いて生体情報計測端末５１の出力の補正を行う。【選択図】    図５
2005304996.tif 000002
【特許請求の範囲】
【請求項１】
被験者の生体情報を計測する生体情報計測手段と、前記生体情報を記憶する記憶手段と、記憶した生体情報を表示する表示手段と、からなる生体情報監視システムにおいて、
生体情報の計測を行うセンサの故障診断を行う故障診断手段を有することを特徴とする生体情報監視システム。
【請求項２】
被験者の生体情報を計測する生体情報計測手段と、前記生体情報を記憶する記憶手段と、計測された生体情報を送信する送信手段と、を有する生体情報計測端末と、
前記生体情報計測端末から送信された前記被験者の生体情報を受信する計測結果受信手段と、受信した生体情報を記憶する記憶手段と、を有する生体情報受信端末と、
からなる生体情報監視システムにおいて、
前記生体情報計測端末は、生体情報の計測を行うセンサの故障診断を行う故障診断手段を有することを特徴とする生体情報監視システム。
【請求項３】
前記生体情報計測手段で計測する生体情報は、前記被験者の行動情報であることを特徴とする請求項１または２に記載の生体情報監視システム。
【請求項４】
前記生体情報計測手段は、前記被験者の行動情報を計測する加速度センサであり、前記故障診断手段は、加速度センサに振動を加えて加速度センサの故障診断を行う故障診断手段であることを特徴とする請求項３に記載の生体情報監視システム。
【請求項５】
前記故障診断手段は、前記生体情報計測手段に、バイブレータを用いて予め決められた振動を与えた時の、前記生体情報計測手段の出力値と、予め決められた正常範囲を規定する閾値とを比較することで、前記生体情報計測手段の故障診断を行うことを特徴とする、請求項４に記載の生体情報監視システム。
【請求項６】
被験者の生体情報を計測する生体情報計測手段と、前記生体情報を記憶する記憶手段と、記憶した生体情報を表示する表示手段と、からなる生体情報監視システムにおいて、
生体情報の計測を行うセンサ出力の補正を行うセンサ出力補正手段を有することを特徴とする生体情報監視システム。
【請求項７】
被験者の生体情報を計測する生体情報計測手段と、前記生体情報を記憶する記憶手段と、計測された生体情報を送信する送信手段と、を有する生体情報計測端末と、
前記生体情報計測端末から送信された前記被験者の生体情報を受信する計測結果受信手段と、受信した生体情報を記憶する記憶手段と、を有する生体情報受信端末と、
からなる生体情報監視システムにおいて、
前記生体情報計測端末は、生体情報の計測を行うセンサ出力の補正を行うセンサ出力補正手段を有することを特徴とする生体情報監視システム。
【請求項８】
前記生体情報計測手段で計測する生体情報は、前記被験者の行動情報であることを特徴とする請求項６または７に記載の生体情報監視システム
【請求項９】
前記生体情報計測手段は、前記被験者の行動情報を計測する加速度センサであり、前記センサ出力補正手段は加速度センサに振動を加えて加速度センサ出力の補正を行うセンサ出力補正手段であることを特徴とする請求項8に記載の生体情報監視システム。
【請求項１０】
前記センサ出力補正手段は、前記生体情報計測手段にバイブレータを用いて予め決められた振動を与えた時に得られる、前記生体情報計測手段の理論的な出力値と実際の出力値から補正係数を算出し、該補正係数を用いて実際の出力値を補正することを特徴とする、請求項９に記載の生体情報監視システム。
【請求項１１】
被験者の生体情報を計測する生体情報計測手段と、生体情報の計測を行うセンサの故障診断を行う故障診断手段と、計測された生体情報を送信する送信手段と、を有する生体情報計測端末と、
前記生体情報計測端末から送信された前記被験者の生体情報を受信する計測結果受信手段と、受信した生体情報を記憶する記憶手段と、を有する生体情報受信端末と、
前記生体情報受信端末と公衆回線を通じて接続されるコンピュータと、
からなる生体情報監視システム。
【請求項１２】
被験者の生体情報を計測する生体情報計測手段と、生体情報の計測を行うセンサ出力の補正を行うセンサ出力補正手段と、計測された生体情報を送信する送信手段と、を有する生体情報計測端末と、
前記生体情報計測端末から送信された前記被験者の生体情報を受信する計測結果受信手段と、受信した生体情報を記憶する記憶手段と、を有する生体情報受信端末と、
前記生体情報受信端末と公衆回線を通じて接続されるコンピュータと、
からなる生体情報監視システム。
【請求項１３】
被験者の生体情報を計測するステップと、
計測された生体情報を送信するステップと、
前記生体情報を受信するステップと、
受信した生体情報を記憶するステップと、
生体情報の計測を行うセンサの故障診断を行うステップと、
からなる生体情報監視方法。
【請求項１４】
前記センサの故障診断を行うステップは、
生体情報計測端末の生体情報計測手段に、予め決められた振動を与えるステップと、
生体情報計測手段の出力値と、予め決められた正常範囲を規定する閾値とを比較するステップと、
比較した結果から、生体情報計測手段が故障しているか否かを診断するステップと、
からなる請求項１３に記載の生体情報監視方法。
【請求項１５】
被験者の生体情報を計測するステップと、
計測された生体情報を送信するステップと、
前記生体情報を受信するステップと、
受信した生体情報を記憶するステップと、
生体情報の計測を行うセンサ出力の補正を行うステップと、
からなる生体情報監視方法。
【請求項１６】
前記センサ出力の補正を行うステップは、
生体情報計測端末の生体情報計測手段に、予め決められた振動を与えるステップと、
生体情報計測手段の理論的な出力値と実際の出力値から補正係数を算出するステップと、補正係数を用いて実際の出力値を補正するステップと、
からなる請求項１５に記載の生体情報監視方法。
【請求項１７】
被験者の生体情報を計測する生体情報計測手段と、計測された生体情報を送信する送信手段と、生体情報の計測を行うセンサの故障診断を行う故障診断手段と、を有することを特徴とする生体情報計測端末。
【請求項１８】
被験者の生体情報を計測する生体情報計測手段と、計測された生体情報を送信する送信手段と、生体情報の計測を行うセンサ出力の補正を行うセンサ出力補正手段と、を有することを特徴とする生体情報計測端末。    
【請求項１９】
被験者の生体情報を計測する生体情報計測手段と、計測された生体情報を送信する送信手段と、を有する生体情報計測端末と、
前記生体情報計測端末から送信された前記被験者の生体情報を受信する計測結果受信手段と、受信した生体情報を記憶する記憶手段と、を有する生体情報受信端末と、
からなる生体情報監視システムにおいて、
前記生体情報受信端末は、生体情報の計測を行うセンサの故障診断を行う故障診断手段を有することを特徴とする生体情報監視システム。
【請求項２０】
被験者の生体情報を計測する生体情報計測手段と、計測された生体情報を送信する送信手段と、を有する生体情報計測端末と、
前記生体情報計測端末から送信された前記被験者の生体情報を受信する計測結果受信手段と、受信した生体情報を記憶する記憶手段と、を有する生体情報受信端末と、
からなる生体情報監視システムにおいて、
前記生体情報受信端末は、生体情報の計測を行うセンサ出力の補正を行うセンサ出力補正手段を有することを特徴とする生体情報監視システム。
発明の詳細な説明発明の詳細な説明    
【請求項２１】
前記生体情報監視システムは、更に、生体情報受信端末と公衆回線を通じて接続されるコンピュータを有することを特徴とする、請求項１９若しくは２０に記載の生体情報監視システム。
【請求項２２】
前記生体情報受信端末は、故障診断結果に関する情報、及び／若しくはセンサ出力補正に関する情報を、前記コンピュータに送信し、
前記コンピュータは、前記故障診断結果に関する情報、及び／若しくはセンサ出力補正に関する情報を管理する、請求項１１、１２、２１に記載の生体情報監視システム。
【発明の詳細な説明】
【技術分野】
【０００１】
本発明は、被験者の生体情報を監視する生体情報監視システム、被験者の生体情報を監視する生体情報監視方法、被験者の生体情報を計測する生体情報計測端末および被験者の生体情報を受信する生体情報受信端末に関する。
【背景技術】
【０００２】
被験者の生体情報を計測し、計測した情報を公衆回線などのネットワークを介して監視人に報知するシステムは従来から知られている。例えば、検知対象者の行動状態に関する情報を、インターネットを介して所定の管理者（例えば医者）の第一インターネット端末に自動的に送信し、その第一インターネット端末とインターネットを介して双方向通信する第二インターネット端末を用いることによって、検知対象者またはその補助者と管理者との間での情報交換を可能とする行動検知システムを提供することを特徴とする技術（特許文献１参照）や、健康管理ネットワークシステムにおいて、通信ネットワークの故障箇所を自動的に検出し、迅速に復旧できるシステムを提供することを特徴とする技術（特許文献2参照）がある。
【特許文献１】特開２００２−１４９８２４ 号公報  （第９頁  第１図参照）
【特許文献２】特開２０００−１５１６２１ 号公報  （第５頁  第１図参照）
【発明の開示】
【発明が解決しようとする課題】
【０００３】
従来の技術では、特許文献２のようにネットワークの故障診断を行うものはあるが、生体情報を計測するセンサの故障診断は行っておらず、センサが故障し異常な値を出力した場合に監視者は被験者に異常が起こったと誤認してしまう。また、特許文献１のように検知対象者の行動情報を管理するシステムにおいて、経時にともなうセンサの感度低下やセンサの温度依存性の影響を考慮していないため、長時間使用した際や、使用環境が変化した際には、センサは真値とは異なった値を出力し、監視者は被験者の状態を正確に知ることができない。
【０００４】
従って本発明は、センサの故障診断を行い、センサの故障によって起こる出力値の異常を被験者の異常と誤認することのない生体情報監視システムおよび生体情報監視方法を提供することを目的としている。また、センサ出力の補正を行うことで信頼性の高い生体情報監視システムおよび生体情報監視方法を提供することを目的としている。
【課題を解決するための手段】
【０００５】
上記目的を解決するために、本発明の生体情報監視システムは、被験者の生体情報を計測する生体情報計測手段と、前記生体情報を記憶する記憶手段と、記憶した生体情報を表示する表示手段と、からなる生体情報監視システムにおいて、生体情報の計測を行うセンサの故障診断を行う故障診断手段を有することを特徴とする生体情報監視システムである。
【０００６】
本発明の生体情報監視システムは、被験者の生体情報を計測する生体情報計測手段と、前記生体情報を記憶する記憶手段と、計測された生体情報を送信する送信手段と、を有する生体情報計測端末と、前記生体情報計測端末から送信された前記被験者の生体情報を受信する計測結果受信手段と、受信した生体情報を記憶する記憶手段と、を有する生体情報受信端末と、からなる生体情報監視システムにおいて、前記生体情報計測端末は、生体情報の計測を行うセンサの故障診断を行う故障診断手段を有することを特徴とする生体情報監視システムである。
【０００７】
また、前記生体情報計測手段で計測する生体情報は、前記被験者の行動情報であることを特徴とする。
【０００８】
また、前記生体情報計測手段は、前記被験者の行動情報を計測する加速度センサであり、前記故障診断手段は加速度センサに振動を加えて加速度センサの故障診断を行う故障診断手段であることを特徴とする。
【０００９】
また、前記故障診断手段は、前記生体情報計測手段に、バイブレータを用いて予め決められた振動を与えた時の、前記生体情報計測手段の出力値と、予め決められた正常範囲を規定する閾値とを比較することで、前記生体情報計測手段の故障診断を行う故障診断手段であることを特徴とする。
【００１０】
本発明の生体情報監視システムは、被験者の生体情報を計測する生体情報計測手段と、前記生体情報を記憶する記憶手段と、記憶した生体情報を表示する表示手段と、からなる生体情報監視システムにおいて、生体情報の計測を行うセンサ出力の補正を行うセンサ出力補正手段を有することを特徴とする生体情報監視システムである。
【００１１】
本発明の生体情報監視システムは、被験者の生体情報を計測する生体情報計測手段と、前記生体情報を記憶する記憶手段と、計測された生体情報を送信する送信手段と、を有する生体情報計測端末と、前記生体情報計測端末から送信された前記被験者の生体情報を受信する計測結果受信手段と、受信した生体情報を記憶する記憶手段と、を有する生体情報受信端末と、からなる生体情報監視システムにおいて、前記生体情報計測端末は、生体情報の計測を行うセンサ出力の補正を行うセンサ出力補正手段を有することを特徴とする生体情報監視システムである。
【００１２】
また、前記生体情報計測手段で計測する生体情報は、前記被験者の行動情報であることを特徴とする。
【００１３】
また、前記生体情報計測手段は、前記被験者の行動情報を計測する加速度センサであり、前記センサ出力補正手段は加速度センサに振動を加えて加速度センサ出力の補正を行うセンサ出力補正手段であることを特徴とする。
【００１４】
また、前記センサ出力補正手段は、前記生体情報計測手段にバイブレータを用いて予め決められた振動を与えた時に得られる、前記生体情報計測手段の理論的な出力値と実際の出力値から補正係数を算出し、該補正係数を用いて実際の出力値を補正することを特徴とする。
【００１５】
本発明の生体情報監視システムは、被験者の生体情報を計測する生体情報計測手段と、生体情報の計測を行うセンサの故障診断を行う故障診断手段と、計測された生体情報を送信する送信手段と、を有する生体情報計測端末と、前記生体情報計測端末から送信された前記被験者の生体情報を受信する計測結果受信手段と、受信した生体情報を記憶する記憶手段と、を有する生体情報受信端末と、前記生体情報受信端末と公衆回線を通じて接続されるコンピュータと、からなることを特徴とする生体情報監視システムである。
【００１６】
本発明の生体情報監視システムは、被験者の生体情報を計測する生体情報計測手段と、生体情報の計測を行うセンサ出力の補正を行うセンサ出力補正手段と、計測された生体情報を送信する送信手段と、を有する生体情報計測端末と、前記生体情報計測端末から送信された前記被験者の生体情報を受信する計測結果受信手段と、受信した生体情報を記憶する記憶手段と、を有する生体情報受信端末と、
前記生体情報受信端末と公衆回線を通じて接続されるコンピュータと、からなることを特徴とする生体情報監視システムである。
【００１７】
本発明の生体情報監視方法は、被験者の生体情報を計測するステップと、計測された生体情報を送信するステップと、前記生体情報を受信するステップと、受信した生体情報を記憶するステップと、生体情報の計測を行うセンサの故障診断を行うステップと、からなることを特徴とする生体情報監視方法である。
【００１８】
本発明の生体情報監視方法は、生体情報計測端末の生体情報計測手段に、予め決められた振動を与えるステップと、生体情報計測手段の出力値と、予め決められた正常範囲を規定する閾値とを比較するステップと、比較した結果から、生体情報計測手段が故障しているか否かを診断するステップと、からなる故障診断を行うことを特徴とする生体情報監視方法である。
【００１９】
本発明の生体情報監視方法は、被験者の生体情報を計測するステップと、計測された生体情報を送信するステップと、前記生体情報を受信するステップと、
受信した生体情報を記憶するステップと、生体情報の計測を行うセンサ出力の補正を行うステップと、からなることを特徴とする生体情報監視方法である。
【００２０】
本発明の生体情報監視方法は、生体情報計測端末の生体情報計測手段に、予め決められた振動を与えるステップと、生体情報計測手段の理論的な出力値と実際の出力値から補正係数を算出するステップと、補正係数を用いて実際の出力値を補正するステップと、からなる出力補正を行うことを特徴とする生体情報監視方法である。
【００２１】
本発明の生体情報計測端末は、被験者の生体情報を計測する生体情報計測手段と、計測された生体情報を送信する送信手段と、生体情報の計測を行うセンサの故障診断を行う故障診断手段と、を有することを特徴とする生体情報計測端末である。
【００２２】
本発明の生体情報計測端末は、被験者の生体情報を計測する生体情報計測手段と、計測された生体情報を送信する送信手段と、生体情報の計測を行うセンサ出力の補正を行うセンサ出力補正手段と、を有することを特徴とする生体情報計測端末である。
【００２３】
本発明の生体情報監視システムは、被験者の生体情報を計測する生体情報計測手段と、計測された生体情報を送信する送信手段と、を有する生体情報計測端末と、前記生体情報計測端末から送信された前記被験者の生体情報を受信する計測結果受信手段と、受信した生体情報を記憶する記憶手段と、を有する生体情報受信端末と、からなる生体情報監視システムにおいて、前記生体情報受信端末は、生体情報の計測を行うセンサの故障診断を行う故障診断手段を有することを特徴とする生体情報監視システムである。
【００２４】
本発明の生体情報監視システムは、被験者の生体情報を計測する生体情報計測手段と、計測された生体情報を送信する送信手段と、を有する生体情報計測端末と、前記生体情報計測端末から送信された前記被験者の生体情報を受信する計測結果受信手段と、受信した生体情報を記憶する記憶手段と、を有する生体情報受信端末と、からなる生体情報監視システムにおいて、前記生体情報受信端末は、生体情報の計測を行うセンサ出力の補正を行うセンサ出力補正手段を有することを特徴とする生体情報監視システムである。
【００２５】
また、前記生体情報監視システムは、生体情報受信端末と公衆回線を通じて接続されるコンピュータを有することを特徴とする。
【００２６】
また、前記生体情報受信端末は、故障診断結果に関する情報、及び／若しくはセンサ出力補正に関する情報を、前記コンピュータに送信し、  前記コンピュータは、前記故障診断結果に関する情報、及び／若しくはセンサ出力補正に関する情報を管理することを特徴とする。
【発明の効果】
【００２７】
本発明によれば、生体情報監視システムにおいて生体情報計測手段の故障診断を行うことで、監視者が、生体情報計測端末が故障し異常な値を出力した場合に、被験者に異常が起こったと誤認する危険性を減らすことができる。また、生体情報計測手段の出力の補正を行うことで、経時による感度低下や温度による感度変化の影響を除去することができ、信頼性の高い生体情報監視システムを提供することができる。
【００２８】
また、遠隔にある生体情報監視端末において、被験者が所有する生体情報計測端末の故障診断結果及び出力補正情報を管理することが出来る。そして被験者に対し、その情報を処理することで様々なサービスを提供することが可能となる。例えば、故障診断の結果から正常と判断されている生体情報計測端末について、補正係数の推移を継続的に観察することで、何時、その生体情報計測端末が故障するのかを予測することが出来る。生体情報監視端末は、この予測情報を被験者に提供することにより、被験者に対して信頼性の高い生体情報監視システムを提供することができる。
【００２９】
また、故障診断及び出力補正を生体情報受信端末で行うことで、生体情報計測端末の機能を簡略化することが出来、例えば生体情報計測端末がバッテリ駆動であるならば、バッテリ寿命を延ばす効果が得られる。
【発明を実施するための最良の形態】
【００３０】
実施例実施例  以下、実施例について図面を参照して説明する。
【実施例１】
【００３１】
図１は、本発明の第１の実施の形態に係る生体情報計測端末の、基本的な構造を示すブロック図である。この図に示すように生体情報計測端末１１は、被験者の生体情報を計測する生体情報計測手段１１１と、前記生体情報計測手段１１１で計測した前記被験者の生体情報を記録する記録手段１１２と、前記生体情報計測手段１１１の出力信号を用いて前記生体情報計測手段１１１の故障診断を行う故障診断手段１１３と、前記生体情報計測手段１１１の出力信号を用いて前記生体情報計測手段１１１の出力の補正を行う出力補正手段１１４と、前記故障診断手段１１３の診断結果および前記出力補正手段１１４で補正された前記被験者の生体情報を表示する表示手段１１５とからなる。
【００３２】
図２は、本発明の実施の形態に係る生体情報計測端末を用いた生体情報監視システムのブロック図である。本実施の形態では生体情報監視システムは、被験者が有する生体情報計測端末２１と、生体情報計測端末２１と通信を行う生体情報受信端末２２とからなる。生体情報受信端末２２は、被験者が自身の状態を確認することの他に、監視者が被験者の状態を監視することに用いられる。
【００３３】
前記生体情報計測端末２１は、被験者の生体情報の一種である行動情報を計測する行動情報計測手段２１１と、前記行動情報計測手段２１１の計測結果を記憶する記憶手段２１２と、前記行動情報計測手段２１１の故障診断を行う故障診断手段２１３と、前記行動情報計測手段２１１の出力の補正を行う出力補正手段２１４と、前記故障診断手段２１３で診断された故障診断結果と前記出力補正手段２１４で補正された前記被験者の行動情報を生体情報受信端末２２に送信する送信手段２１５と、からなる。
【００３４】
前記生体情報受信端末２２は、送信手段２１５から送られてきた前記生体情報計測端末の故障診断結果と前記被験者の行動情報を受信する受信手段２２１と、受信した前記生体情報計測端末２１の故障診断結果と前記被験者の行動情報を記録する記録手段２２２と前記記憶手段２２２に記憶された故障診断結果および前記被験者の行動情報を表示する表示手段２２３とからなる。
【００３５】
前記行動情報計測手段２１１は、例えば加速度センサ、ジャイロセンサ、傾斜センサなどを用いて被験者の動きや姿勢などを計測するものである。前記故障診断手段２１３は、例えば、センサの感度方向と同方向に振動するバイブレータを有し、そのバイブレータ用いて前記行動情報計測手段２１１に一定の振動を与えた時の前記行動情報計測手段２１１の出力が、前記記憶手段２１２に予め記憶されている閾値から逸脱しているかどうかで故障診断を行うものである。故障診断方法についての詳細は後述する。前記送信手段２１５および前記受信手段２２１は、例えばＢｌｕｅｔｏｏｔｈや微弱無線などを用いて通信を行うものである。記憶手段２２２は、フラッシュメモリやハードディスクなどの記憶媒体に、受信手段２２１で受信した被験者の生体情報を書き込むための、ＣＰＵ搭載の記憶装置である。前記出力補正手段２１４は、例えば、センサの感度方向と動方向に振動するバイブレータを有し、そのバイブレータを用いて前記行動情報計測手段２１１に一定の振動を与えた時の前記行動情報計測手段２１１の出力値から、その出力値を補正するための補正係数を決定し、その補正係数を用いて前記行動情報計測手段２１１の出力値の補正を行うものである。
【００３６】
図３は、前記故障診断手段２１３における故障診断方法、及び前記出力補正手段２１４における補正方法を説明するための図であり、バイブレータを振動させた時の前記行動情報計測手段の理論的な出力値である予想値（破線）と、バイブレータを振動させた時の前記行動情報計測手段による実際の計測結果（実線）と、予め記憶された閾値（４本の直線）である。
【００３７】
図３において、実測値の出力波形における最大値（波形の正の頂点での値）が予め決めた閾値Ａ以上若しくは閾値Ｂ以下である場合、若しくは最小値（波形の負の頂点での値）が予め決めた閾値Ｄ以下若しくは閾値Ｃ以上である場合、故障とみなす。
【００３８】
故障診断の結果、故障でない場合で、予想値と実測値にずれが見られる場合、実測値が予想値と同等の値になるように補正係数を求める。これは例えば、予想値の振幅値を実測値の振幅値で割った値とする。
【００３９】
このように、生体情報監視システムにおいて、生体情報計測手段の出力の補正を行うことで経時による感度低下や温度による感度変化の影響を除去することができ信頼性の高い生体情報監視システムを提供することができる。
【００４０】
尚、故障診断の方法としては他に、前記行動情報計測手段２１１の出力のオフセット値を予め決められた閾値と比較することで故障を判定する方法がある。尚、故障診断が行える方法であれば、上記に説明した方法以外であってもよい。
【００４１】
また、補正係数の求め方も、補正が正確に行える方法であれば、上記で説明した方法以外であってもよい。  図４に、本発明の実施の形態に係る生体情報計測端末２１の動作を説明するためのフローチャートを示す。
【００４２】
生体情報計測端末２１は行動情報計測手段２１１で計測を開始する際（Ｓ４１）、まず故障診断手段２１３のバイブレータを駆動させ、加速度センサに一定の加速度を与える。その際のセンサの出力電圧と記憶手段２１２に記憶された閾値を比較し閾値を逸脱している場合は故障と判断する(Ｓ４２)。これは、図３の故障診断方法を用いる。
【００４３】
結果行動情報計測手段２１１が故障していると判断された場合は、送信手段２１５によって生体情報受信端末２２に行動情報計測手段２１１が故障していることを報知する（Ｓ４３）。これにより被験者若しくは監視者は、故障を確認することが出来る。
【００４４】
故障診断手段２１３において行動情報計測端末が故障していないことが確認されると、出力補正手段２１４において出力値の補正係数が決定される（Ｓ４４）。これは、図３の補正係数の決定方法を用いる。
【００４５】
そしてその補正係数に基づいて、計測された行動情報が補正される(Ｓ４５)。
【００４６】
このように生体情報計測端末において生体情報計測手段の故障診断を行うことで、生体情報計測端末が故障し異常な値を出力した場合に、被験者若しくは監視者は被験者に異常が起こったと誤認してしまうという危険性を減らすことができる。また生体情報計測手段の出力の補正を行うことで、信頼性の高い生体情報計測端末を提供することができる。
【実施例２】
【００４７】
図５は、本発明に係る生体情報監視システムの、第２の実施の形態を示すブロック図である。本実施の形態では生体情報監視システムは、生体情報計測端末５１と、生体情報受信端末５２と、生体情報監視端末５３とからなる。生体情報計測端末５１の故障診断結果若しくは出力補正情報が、遠隔にある生体情報監視端末５３に送信され、管理される例である。生体情報監視端末５３は、本生体情報監視システムを運用している全て被験者が所有する、生体情報計測端末及び生体情報受信端末を管理する。
【００４８】
生体情報計測端末５１は、被験者の行動情報を計測する行動情報計測手段５１１と、前記行動情報計測手段５１１の計測結果を記憶する記憶手段５１２と、前記行動情報計測手段５１１の故障診断を行う故障診断手段５１３と、前記行動情報計測手段５１１の出力の補正を行う出力補正手段５１４と、前記故障診断手段５１３の診断結果および前記出力補正手段５１４で補正された生体情報を送信する送信手段５１５とからなる。
【００４９】
生体情報受信端末５２は、前記送信手段５１５から送られてくる診断結果および前記被験者の生体情報を受信する受信手段５２１と、受信した結果を記憶する記憶手段５２２と、記憶した結果を送信する送信手段５２３とからなる。
【００５０】
生体情報監視端末は、前記送信手段５２３から送られてくる診断結果および前記被験者の生体情報を受信する受信手段５３１と、受信結果を表示する表示手段５３２とからなる。
【００５１】
ここで、行動情報計測手段５１１、記憶手段５１２、故障診断手段５１３、出力補正手段５１４、送信手段５１５の動作、及び受信手段５２１、記憶手段５２２の動作はそれぞれ、実施例１における行動情報計測手段２１１、記憶手段２１２、故障診断手段２１３、出力補正手段２１４、送信手段２１５の動作、及び受信手段２２１、記憶手段２２２の動作と同様であるため、説明を割愛する。
【００５２】
上記のような生体情報監視システムの構成とすることで、遠隔にある生体情報監視端末は、被験者が所有する生体情報計測端末の故障診断結果及び出力補正情報を管理することが出来る。そして、被験者に対し、その情報を処理することで様々なサービスを提供することが可能となる。例えば、故障診断の結果から正常と判断されている生体情報計測端末について、補正係数の推移を継続的に観察することで、何時、その生体情報計測端末が故障するのかを予測することが出来る。生体情報監視端末は、この予測情報を被験者に提供することにより、被験者に対して信頼性の高い生体情報監視システムを提供することができる。
【実施例３】
【００５３】
図６は、本発明に係る生体情報監視システムの、第３の実施例の一例を示すブロック図である。本実施の形態では生体情報監視システムは、生体情報計測端末６１と、生体情報受信端末６２とからなる。故障診断手段及び出力補正手段を生体情報受信端末側に持たせた例である。ただし加速度センサに振動を与えるバイブレータは生体情報計測端末に搭載している。
【００５４】
前記生体情報計測端末６１は、被験者の行動情報を計測する行動情報計測手段６１１と、計測結果を記憶する記憶手段６１２と、記憶結果を送信する送信手段６１３と、生体情報受信端末６２から送られてくるデータを受信する受信手段６１４と、受信した結果を表示する表示手段６１５とからなる。
【００５５】
前記生体情報受信端末６２は、前記送信手段６１３から送られてくる前記被験者の行動情報を受信する受信手段６２１と、受信結果を記憶する記憶手段６２２と、受信結果から前記行動情報計測手段６２１の故障診断を行う故障診断手段６２３と、前記行動情報計測手段６２１の計測結果の出力補正を行う出力補正手段６２４と、前記故障診断手段６２３の診断結果および前記出力補正手段で補正された前記被験者の生体情報を前記受信手段６１４へ送信する送信手段６２５とからなる。
【００５６】
ここで、行動情報計測手段６１１、記憶手段６１２、故障診断手段６２３、出力補正手段６２４、送信手段６１５の動作、及び受信手段６２１、記憶手段６２２の動作はそれぞれ、実施例１における行動情報計測手段２１１、記憶手段２１２、故障診断手段２１３、出力補正手段２１４、送信手段２１５の動作、及び受信手段２２１、記憶手段２２２の動作と同様であるため、説明を割愛する。
【００５７】
上記のような生体情報監視システムの構成とすることで、生体情報計測端末の機能を簡略化することが出来、例えば生体情報計測端末がバッテリ駆動であるならば、バッテリ寿命を延ばす効果が得られる。
【図面の簡単な説明】
【００５８】
【図１】本発明に係る生体情報計測端末の実施例を示すブロック図である。
【図２】本発明に係る生体情報監視システムの実施例を示すブロック図である。
【図３】本発明の実施の形態に係る生体情報計測手段の計測結果である。
【図４】本発明の実施の形態に係る生体情報計測端末の動作を説明するためのフローチャートである。
【図５】本発明に係る生体情報監視システムの実施例を示すブロック図である。
【図６】本発明に係る生体情報監視システムの実施例を示すブロック図である。
【符号の説明】
【００５９】
１１、２１、５１、６１    生体情報計測端末
１２、２２、５２、６２    生体情報受信端末
１１１    生体情報計測手段
１１３、２１３、５１３、６２３    故障診断手段
２１５、５１５、５２３、６１４、６２５    送信手段
２２１５２１、５３１、６２１    受信手段
１１２、２１２、２２２、５１２、５２２、６１２、６２２    記憶手段
１１４、２１４、５１４、６２４    出力補正手段
１１５、２２３、５３２、６１５    表示手段
２１１、５１１、６１１    行動情報計測手段
【図１】
2005304996.tif 000003
【図２】
2005304996.tif 000004
【図３】
2005304996.tif 000005
【図４】
2005304996.tif 000006
【図５】
2005304996.tif 000007
【図６】
2005304996.tif 000008